(57)【要約】【課題】携帯型電話装置の電力の消費を低減する。【解決手段】携帯型電話システムは、音声通話装置とユーザ同士の音声データを送受信する外部音声入出力装置と、音声通話装置に呼制御データを送信する携帯型電話装置とを備える。携帯型電話装置は、呼制御データを通信することにより通信路を確立する呼制御通信確立手段と、通信路が確立すると、外部音声入出力装置に通信路が確立した音声通話装置の通信先情報を通知すると共に、音声入出力の開始を指示する通信先通知開始指示手段とを備える。外部音声入出力装置は、通信先情報の通知と音声入出力の開始の指示を受けると、音声から音声データを生成すると共に、通信先情報に基づいて、生成された音声データを音声通話装置に送信する音声データ送信手段と、音声通話装置から音声データを受信した場合には、受信した当該音声データを再生する受信音声データ再生手段とを備える。【選択図】図１
2009060508.tif 000002
【特許請求の範囲】
【請求項１】
外部に設けられた音声通話装置とユーザ同士の音声データを送受信する外部音声入出力装置と、前記音声通話装置に呼制御データを送信する携帯型電話装置とを備えた携帯型電話システムであって、
前記携帯型電話装置は、
前記音声通話装置に前記呼制御データを通信することにより、通信路を確立する呼制御通信確立手段と、
前記呼制御通信確立手段によって前記通信路が確立すると、前記外部音声入出力装置に、前記通信路が確立した前記音声通話装置の通信先情報を通知すると共に、音声入出力の開始を指示する通信先通知開始指示手段と、を備え、
前記外部音声入出力装置は、
前記通信先情報の通知と前記音声入出力の開始の指示を受けると、入力された音声から送信する音声データを生成すると共に、前記通信先情報に基づいて、生成された前記音声データを前記音声通話装置に送信する音声データ送信手段と、
前記音声通話装置から音声データを受信した場合には、受信した当該音声データを再生する受信音声データ再生手段と、
を備えることを特徴とする携帯型電話システム。
【請求項２】
前記外部音声入出力装置は、
当該外部音声入出力装置内に、当該外部音声入出力装置を駆動する電源回路手段
を更に備えることを特徴とする請求項１に記載の携帯型電話システム。
【請求項３】
前記外部音声入出力装置は、
複数台備えられると共に、当該複数台の前記外部音声入出力装置に対し、同一の音声データを一斉に放送する放送型データ通信手段
を更に備えることを特徴とする請求項１又は２に記載の携帯型電話システム。
【請求項４】
前記携帯型電話装置は、
当該携帯型電話装置内に音声データを送受信する内部音声入出力手段と、
当該内部音声入出力手段と、前記外部音声入出力装置とを切り替える音声切替手段と
を更に備えることを特徴とする請求項１乃至３の何れか１項に記載の携帯型電話システム。
【請求項５】
前記外部音声入出力装置は、複数台備えられ、
前記携帯型電話装置は、
当該複数台の前記外部音声入出力装置の通信先情報を保存する記憶手段と、
前記複数台の前記外部音声入出力装置の中から、前記音声通話装置と通話する任意の外部音声入出力装置を選択して切り替える選択切替手段と、
を更に備えることを特徴とする請求項１乃至４の何れか１項に記載の携帯型電話システム。
【請求項６】
外部に設けられた音声通話装置とユーザ同士の音声データを送受信する外部音声入出力装置と、前記音声通信装置に呼制御データを送信する携帯型電話装置とを備えた携帯型電話システムにおける電力消費の低減方法であって、
前記携帯型電話装置が、前記音声通話装置に前記呼制御データを通信することにより、通信路を確立する呼制御通信確立ステップと、
前記呼制御通信確立ステップにおいて前記通信路が確立すると、前記携帯型電話装置が前記外部音声入出力装置に、前記通信路が確立した前記音声通話装置の通信先情報を通知すると共に、音声入出力の開始を指示する通信先通知開始指示ステップと、
前記通信先情報の通知と前記音声入出力の開始の指示を受けた前記外部音声入出力装置は、入力された音声から送信する音声データを生成すると共に、前記通信先情報に基づいて、生成された前記音声データを前記音声通話装置に送信する音声データ送信ステップと、
前記外部音声入出力装置が前記音声通話装置から音声データを受信した場合には、受信した当該音声データを前記外部音声入出力装置が再生する受信音声データ再生ステップと、
を備えることを特徴とする電力消費の低減方法。
【請求項７】
外部に設けられた音声通話装置に呼制御データを携帯型電話装置が送信し、前記音声通話装置と通信路が確立したら、前記携帯型電話装置により前記通信路が確立した前記音声通話装置の通信先情報が通知されると共に、音声入出力の開始が指示される外部音声入出力装置であって、
前記通信先情報の通知と前記音声入出力の開始の指示を受けると、入力された音声から送信する音声データを生成すると共に、前記通信先情報に基づいて、生成された前記音声データを前記音声通話装置に送信する音声データ送信手段と、
前記音声通話装置から音声データを受信した場合には、受信した当該音声データを再生する受信音声データ再生手段と、
を備えることを特徴とする外部音声入出力装置。
【請求項８】
外部に設けられた音声通話装置に呼制御データを通信し、前記音声通話装置と通信路が確立した場合に当該音声通話装置の通信情報を外部音声入出力装置に通知する携帯型電話装置であって、
前記音声通話装置に前記呼制御データを通信することにより、前記通信路を確立する呼制御通信確立手段と、
前記呼制御通信確立手段によって前記通信路が確立すると、前記外部音声入出力装置に、前記通信路が確立した前記音声通話装置の通信先情報を通知すると共に、音声入出力の開始を指示する通信先通知開始指示手段と、
を備えることを特徴とする携帯型電話装置。
【発明の詳細な説明】
【技術分野】
【０００１】
本発明は、携帯型電話システム、携帯型電話システムにおける電力消費の低減方法、外部音声入出力装置及び携帯型電話装置に関し、特に、ユーザが外部音声入出力装置を用いて通信相手と直接通信を行う携帯型電話システム、携帯型電話システムにおける電力消費の低減方法、外部音声入出力装置及び携帯型電話装置に関する。
【背景技術】
【０００２】
近年、技術の進歩に伴って、ユーザが持ち運び可能な携帯型の電話機が普及している。
【０００３】
そして、この携帯型の電話機は、ＩＰ（internet protocol）技術を利用した通話サービスを適用することができるようになっている。
【０００４】
このような携帯型の電話機として、ＩＰネットワーク網を利用した携帯型ＩＰ電話装置が提案されている（例えば、特許文献１参照）。
【０００５】
この携帯型ＩＰ電話装置は、呼制御のＩＰ通信と音声データのＩＰ通信を携帯型ＩＰ電話装置が行い、その内の音声データのみを外部音声入出力装置へ転送するようになっている。
【０００６】
ここで、具体例として、この携帯型ＩＰ電話装置の一例を、図６及び図７に示すことにする。
【０００７】
図６に示す携帯型電話システムは、外部音声入出力装置１００Ａと、携帯型ＩＰ電話装置２００Ａと、無線基地局３００Ａと、ＩＰネットワーク網４００Ａと、無線ＬＡＮ網５００Ａとを備えている。
【０００８】
図７に示す携帯型電話システムは、外部音声入出力装置１００Ａと、携帯型ＩＰ電話装置２００Ａと、ＩＰネットワーク網４００Ａとを備えている。
【０００９】
ここで、図６に示した無線基地局３００Ａは、無線基地局に限定されるものではなく、ＩＰネットワーク網４００Ａに接続できる無線親機や無線ＬＡＮ（local area network）アクセスポイントなどであっても良い。
【００１０】
図６又は図７に示した外部音声入出力装置１００Ａは、有線で接続したヘッドセットやイヤホンなどに相当するものであって、その有線部を無線化したものを示している。
【００１１】
すなわち、有線部を無線化したものとして、例えば、Ｂｌｕｅｔｏｏｔｈ（登録商標）の方式を用いたヘッドセットやイヤホン等である。
【００１２】
ここで、図６に示した携帯型電話システムの動作を説明すると、携帯型ＩＰ電話装置２００Ａが、音声パケット（音声データ）及び呼制御パケット（呼制御データ）を無線基地局３００Ａと通信するようになっている。
【００１３】
また更に、図６に示す携帯型電話システムでは、携帯型ＩＰ電話装置２００Ａと外部音声入出力装置１００Ａとが、Ｂｌｕｅｔｏｏｔｈによって無線で通信する実施形態になっている。
【特許文献１】特開２００３−３２４５１７号公報
【発明の開示】
【発明が解決しようとする課題】
【００１４】
ところで、上述の外部音声入出力装置１００Ａを用いた通話の場合、図６に示したようにＩＰ通信で行われる電話の制御プロトコルの制御（呼制御）とその呼制御により接続した音声通信は、携帯型ＩＰ電話装置２００Ａが行うようになっている。
【００１５】
すなわち、携帯型ＩＰ電話装置２００Ａが、音声データをＩＰ化し、そのＩＰ化された音声データを任意のフォーマットに変えて外部音声入出力装置１００Ａへ送信する。
【００１６】
このため、この外部音声入出力装置１００Ａを用いた場合、携帯型ＩＰ電話装置２００Ａが全ての制御を行っているので、携帯型ＩＰ電話装置２００Ａが多量の電力を消費しているという問題があった。
【００１７】
ここで、この携帯型電話システムの動作について、図８を用いて具体的に説明すると、図６に示す携帯型電話システムでは、携帯型ＩＰ電話装置２００Ａが、無線基地局３００Ａを介して、通話相手に接続要求を行う（ステップＳ５１，Ｓ５２）。
【００１８】
通話相手は、ＩＰネットワーク網４００Ａに接続されており、接続要求を受信すると、無線基地局３００Ａを介して携帯型ＩＰ電話装置２００ＡにＡＣＫを返信する（ステップＳ５３，Ｓ５４）。
【００１９】
次に、携帯型ＩＰ電話装置２００Ａは、通話相手からＡＣＫを受信すると、そのＡＣＫを返信した通話相手に対し、音声データの宛先を携帯型ＩＰ電話装置２００Ａにして、接続先通知を、無線基地局３００Ａを介して送信する（ステップＳ５５，Ｓ５６）。
【００２０】
通話相手は、接続先通知を受信すると、音声データを受信するポートの通知をする接続先通知を、無線基地局３００Ａを介して送信する（ステップＳ５７，５８）。
【００２１】
これにより、携帯型ＩＰ電話装置２００Ａは、外部音声入出力装置１００Ａから音声データを取得すると（ステップＳ５９）、通話相手にその音声データを送信する（ステップＳ６０）。
【００２２】
また、通話相手が音声データを送信する場合には、通話相手が携帯型ＩＰ電話装置２００Ａを宛先として音声データを送信し（ステップＳ６１）、携帯型ＩＰ電話装置２００Ａが、その音声データを外部音声入出力装置１００Ａに送信する（ステップＳ６２）。
【００２３】
この場合、ステップＳ５９からステップＳ６２における音声データを、携帯型ＩＰ電話装置２００Ａを経由して、外部音声入出力装置１００Ａと通話相手とが通話中として通話することができる。
【００２４】
そして、携帯型ＩＰ電話装置２００Ａが、無線基地局３００Ａを介して、通話相手に切断指示を送信すると、通話が切断される（ステップＳ６３，Ｓ６４）。
【００２５】
このように、携帯型ＩＰ電話装置２００Ａは、外部音声入出力装置１００Ａと通話相手に音声データを送受信するので、電力の消費が多くなってしまう。
【００２６】
特に、外部音声入出力装置１００Ａが無線（例えばＢｌｕｅｔｏｏｔｈヘッドセット）の場合には本問題は顕著であり、音声データの通信に通話相手と携帯型ＩＰ電話装置２００Ａ、携帯型ＩＰ電話装置２００Ａと外部音声入出力装置１００Ａとで２重の電力を消費するという問題があった。
【００２７】
そこで本発明は、上記問題点を鑑みてなされたものであり、音声データの通信を携帯型電話装置を介さず、外部音声入出力装置と通話相手とが直接通信することにより、携帯型電話装置の電力の消費を低減することができる携帯型電話システム、携帯型電話システムにおける電力消費の低減方法、外部音声入出力装置及び携帯型電話装置を提供することを目的とする。
【課題を解決するための手段】
【００２８】
本発明に係る携帯型電話システムは、外部に設けられた音声通話装置とユーザ同士の音声データを送受信する外部音声入出力装置と、前記音声通話装置に呼制御データを送信する携帯型電話装置とを備えた携帯型電話システムであって、前記携帯型電話装置は、前記音声通話装置に前記呼制御データを通信することにより、通信路を確立する呼制御通信確立手段と、前記呼制御通信確立手段によって前記通信路が確立すると、前記外部音声入出力装置に、前記通信路が確立した前記音声通話装置の通信先情報を通知すると共に、音声入出力の開始を指示する通信先通知開始指示手段と、を備え、前記外部音声入出力装置は、前記通信先情報の通知と前記音声入出力の開始の指示を受けると、入力された音声から送信する音声データを生成すると共に、前記通信先情報に基づいて、生成された前記音声データを前記音声通話装置に送信する音声データ送信手段と、前記音声通話装置から音声データを受信した場合には、受信した当該音声データを再生する受信音声データ再生手段と、を備えることを特徴とする。
【００２９】
本発明に係る携帯型電話システムにおける電力消費の低減方法は、外部に設けられた音声通話装置とユーザ同士の音声データを送受信する外部音声入出力装置と、前記音声通信装置に呼制御データを送信する携帯型電話装置とを備えた携帯型電話システムにおける電力消費の低減方法であって、前記携帯型電話装置が、前記音声通話装置に前記呼制御データを通信することにより、通信路を確立する呼制御通信確立ステップと、前記呼制御通信確立ステップにおいて前記通信路が確立すると、前記携帯型電話装置が前記外部音声入出力装置に、前記通信路が確立した前記音声通話装置の通信先情報を通知すると共に、音声入出力の開始を指示する通信先通知開始指示ステップと、前記通信先情報の通知と前記音声入出力の開始の指示を受けた前記外部音声入出力装置は、入力された音声から送信する音声データを生成すると共に、前記通信先情報に基づいて、生成された前記音声データを前記音声通話装置に送信する音声データ送信ステップと、前記外部音声入出力装置が前記音声通話装置から音声データを受信した場合には、受信した当該音声データを前記外部音声入出力装置が再生する受信音声データ再生ステップと、を備えることを特徴とする。
【００３０】
本発明に係る外部音声入出力装置は、外部に設けられた音声通話装置に呼制御データを携帯型電話装置が送信し、前記音声通話装置と通信路が確立したら、前記携帯型電話装置により前記通信路が確立した前記音声通話装置の通信先情報が通知されると共に、音声入出力の開始が指示される外部音声入出力装置であって、前記通信先情報の通知と前記音声入出力の開始の指示を受けると、入力された音声から送信する音声データを生成すると共に、前記通信先情報に基づいて、生成された前記音声データを前記音声通話装置に送信する音声データ送信手段と、前記音声通話装置から音声データを受信した場合には、受信した当該音声データを再生する受信音声データ再生手段と、を備えることを特徴とする。
【００３１】
本発明に係る携帯型電話装置は、外部に設けられた音声通話装置に呼制御データを通信し、前記音声通話装置と通信路が確立した場合に当該音声通話装置の通信情報を外部音声入出力装置に通知する携帯型電話装置であって、前記音声通話装置に前記呼制御データを通信することにより、前記通信路を確立する呼制御通信確立手段と、前記呼制御通信確立手段によって前記通信路が確立すると、前記外部音声入出力装置に、前記通信路が確立した前記音声通話装置の通信先情報を通知すると共に、音声入出力の開始を指示する通信先通知開始指示手段と、を備えることを特徴とする。
【発明の効果】
【００３２】
本発明によれば、この携帯型電話システムは、通話における音声データの通信を、携帯型電話装置を介さず、外部音声入出力装置と音声通話装置とが直接、音声通信を行うことにより、携帯型電話装置の電力の消費を抑えることができる。
【００３３】
これにより、携帯型電話装置の電力の消費を低減することができる携帯型電話システム、携帯型電話システムにおける電力消費の低減方法、外部音声入出力装置及び携帯型電話装置を実現できる。
【発明を実施するための最良の形態】
【００３４】
次に、本発明を実施するための実施形態１について、図面を参照して詳細に説明する。
（実施形態１）
（１）外部音声入出力装置を備える携帯型電話システム
図１は、本発明に係る実施形態１として、外部音声入出力装置を備える携帯型電話システムの構成を示したものである。
【００３５】
図１に示す携帯型電話システムは、外部音声入出力装置１００と、携帯型ＩＰ電話装置２００と、無線基地局３００と、ＩＰネットワーク網４００と、無線ＬＡＮ網５００とを備えている。
【００３６】
図２に示す携帯型電話システムでは、外部音声入出力装置１００と、携帯型ＩＰ電話装置２００と、ＩＰネットワーク網４００とを備えている。
【００３７】
なお、同一の構成には、同一の符号を付すことにする。
【００３８】
また、図１に示した無線基地局３００は、無線基地局に限定されるものではなく、ＩＰネットワーク網４００Ａに接続できる無線親機や無線ＬＡＮアクセスポイントなどであっても良い。
【００３９】
次に、実施形態１に係る外部音声入出力装置１００の構成を、図３のブロック図に示す。
【００４０】
図３に示す外部音声入出力装置１００は、音声出力部１１０と、音声入力部１２０と、ＩＰ通信部１３０と、ＰＨＹ通信部１４０とを備えている。
【００４１】
音声出力部１１０は、スピーカやデジタル/アナログ変換（図中では、Ｄ／Ａと表記する。）を行う。
【００４２】
音声入力部１２０は、マイクやアナログ/デジタル変換（図中では、Ａ／Ｄと表記する。）を行う。
【００４３】
ＩＰ通信部１３０は、ＴＣＰ／ＩＰ（transmission control protocol internet）、ＵＤＰ（user datagram protocol）などのＩＰ通信を行う。
【００４４】
ＰＨＹ通信部１４０は、インターネットプロトコルのＰＨＹ部（ＯＳＩ参照モデルのphysical layer）である。
【００４５】
ＰＨＹ通信部１４０は、ＩＥＥＥ８０２．１１の無線ＬＡＮやＩＥＥＥ８０２．３Ｅｔｈｅｒｎｅｔ（登録商標）で、ＩＰネットワーク網４００に接続されている。
【００４６】
なお、ＰＨＹ通信部１４０の通信方式は、特定する必要はなく、本実施形態に限定されない。
【００４７】
更に、音声出力部１１０及び音声入力部１２０は、ＩＴＵ−Ｔの音声符号化方式Ｇ．７１１やＧ．７２９のコーデックの機能要素を含んでいるが、音声符号化方式についても、特定はする必要はなく、本実施形態に限定されない。
【００４８】
図４は、本発明に係る実施形態１における携帯型ＩＰ電話装置２００の構成を、ブロック図で示したものである。
【００４９】
図４に示す携帯型ＩＰ電話装置２００は、表示部２１０と、操作部２２０と、音声出力部２３０と、音声入力部２４０と、呼制御部２６０と、制御部２７０と、ＩＰ通信部２８０と、ＰＨＹ通信部２９０とを備えている。
【００５０】
また、携帯型ＩＰ電話装置２００のＰＨＹ通信部２９０は、ＩＰネットワーク網４００に接続されている。
【００５１】
なお、音声出力部２３０と音声入力部２４０は、内部音声入出力部２５０を形成している。
【００５２】
そして、表示部２１０は、画面表示を行い、操作部２２０は、キーによる操作を行う。
【００５３】
音声出力部２３０は、スピーカやデジタル/アナログ変換を行う。
【００５４】
音声入力部２４０は、マイクやアナログ/デジタル変換を行う。
【００５５】
呼制御部２６０は、ＶｏＩＰ（Voice over ＩＰ）の呼制御を行う。
【００５６】
制御部２７０は、携帯型ＩＰ電話装置２００の全体動作を司り、統括制御を行う。
【００５７】
ＩＰ通信部２８０は、ＴＣＰ／ＩＰ、ＵＤＰのＩＰ通信を行う。
【００５８】
ＰＨＹ通信部２９０は、インターネットプロトコルのＰＨＹ部（ＯＳＩ参照モデルのphysical layer）である。
【００５９】
ＰＨＹ通信部２９０は、ＩＥＥＥ８０２．１１の無線ＬＡＮやＩＥＥＥ８０２．３Ｅｔｈｅｒｎｅｔ（登録商標）で、ＩＰネットワーク網４００に接続されている。
【００６０】
従って、呼制御部２６０は、ＶｏＩＰの通信制御時において、音声データの通信路を通知時に、携帯型ＩＰ電話装置２００自身のＩＰ情報か、外部音声入出力装置１００のＩＰ情報を通知することができる。
【００６１】
また、ＩＰ情報とは、ＩＰアドレスと通信ポート（ＵＤＰポート５０００など）を示す。
【００６２】
これにより、携帯型ＩＰ電話装置２００は、通話相手又はＩＰ交換機と、Ｈ．３２３，ＳＩＰ（session initiation protocol），ＭＥＧＡＣＯ（Ｈ．２４８）などのＩＴＵ−Ｔ勧告やＲＦＣ（request for comments）勧告で定義されたＩＰ電話用の通信プロトコルで接続し、ＵＤＰのＲＴＰ（real time transport protocol）を用いて音声データを送受信することができる。
【００６３】
これに対し、外部音声入出力装置１００は、呼制御の通信プロトコルを有しておらず、ＲＴＰを送受信するＩＰ通信部を備えている。
（２）外部音声入出力装置を備える携帯型電話システムの動作
次に、図１に示した音声入出力装置を備える携帯型電話システムの動作について、説明する。
【００６４】
本実施形態における携帯型電話システムでは、携帯型ＩＰ電話装置２００が、通話相手からの着信又は携帯型ＩＰ電話装置２００自身からの発信により、通話相手に呼制御データをＩＰ通信する。
【００６５】
この呼制御データのＩＰ通信の結果、音声の通信路が確定する（すなわち、通話相手が応答することにより、通信路が確立する。）と、携帯型ＩＰ電話装置２００は、外部音声入出力装置１００に通信先情報（すなわち、通話相手のＩＰ情報である。）を通知（以下、これをＩＰ情報の通知という。）すると共に、音声入出力の開始を指示（以下、これを通話開始指示という。）する。
【００６６】
ＩＰ情報の通知と通話開始指示は、ＩＰパケット通信で行い、そのプロトコルは限定する必要がない。
【００６７】
ＩＰ情報の通知と通話開始指示を受けた外部音声入出力装置１００は、音声入力部１２０及び音声出力部１１０を駆動する。
【００６８】
音声入力部１２０で生成された音声データは、ＩＰ通信部１３０でＩＰパケット化（ＲＴＰ化）し、通知で指示されたＩＰアドレスと通信ポート宛に音声データを送信する。
【００６９】
また、通話相手から送信された音声データを受信したＰＨＹ通信部１４０は、ＩＰ通信部１３０へ転送し、ＩＰ通信部１３０でＩＰ処理を行い、音声出力部１３０で音声を再生する。
【００７０】
通話を終了する時は、予め定めたＩＰパケット通信により、携帯型ＩＰ電話装置２００が、外部音声入出力装置１００と、無線基地局３００を介して通話相手に終了を指示する。
【００７１】
なお、本実施形態における動作の説明では、ＵＤＰによるＩＰ通信を用いて説明したため、ＩＰ通信での制御は割愛しているが、本実施形態はこれに限らず、ＴＣＰを用いてもよい。
【００７２】
更に、公知のＴＣＰ技術やＵＤＰ技術であっても良い。
【００７３】
更に、本実施形態における動作の説明で使用したＰＨＹは公知の技術であり、その接続方法は、使用するＰＨＹの仕様に従うものであり、ここでは、ＰＨＹに限定されない。
【００７４】
ここで、この携帯型電話システムの全体動作について、更に図５を用いて具体的に詳述する。
【００７５】
図５に示す携帯型電話システムでは、携帯型ＩＰ電話装置２００が、無線基地局３００を介して、通話相手に接続要求を行う（ステップＳ０１，Ｓ０２）。
【００７６】
通話相手は、ＩＰネットワーク網４００に接続されており、携帯型ＩＰ電話装置２００から接続要求を受信すると、無線基地局３００を介して、携帯型ＩＰ電話装置２００に、ＡＣＫを返信する（ステップＳ０３，Ｓ０４）。
【００７７】
次に、携帯型ＩＰ電話装置２００は、ＡＣＫを返信した通話相手に対し、音声データの宛先を外部音声入出力装置１００に設定して、無線基地局３００を介して、接続先通知を送信する（ステップＳ０５，Ｓ０６）。
【００７８】
通話相手は、携帯型ＩＰ電話装置２００から接続先通知を受信すると、音声データを受信するポートを通知する接続先通知を、無線基地局３００を介して、携帯型ＩＰ電話装置２００へ送信する（ステップＳ０７，０８）。
【００７９】
そして、携帯型ＩＰ電話装置２００は、通話相手から音声データを受信するポートの接続先通知を受信すると、携帯型ＩＰ電話装置２００は、外部音声入出力装置１００に音声データを送信するポートの接続先を通知する（ステップＳ０９）。
【００８０】
外部音声入出力装置１００は、携帯型ＩＰ電話装置２００から音声データを送信するポートの接続先通知を受信すると、携帯型ＩＰ電話装置２００へＡＣＫを返信する（ステップＳ１０）。
【００８１】
これにより、外部音声入出力装置１００と通話相手との通信路が確立する。
【００８２】
従って、外部音声入出力装置１００は、音声データを通話相手のポートに送信することにより、通話相手に直接、音声データを送信することができる（ステップＳ１１）。
【００８３】
また、通話相手が音声データを送信する場合には、通話相手は、音声データを外部音声入出力装置１００に直接、送信することができる（ステップＳ１２）。
【００８４】
ここで、図８に示した携帯型電話システムでは、携帯型ＩＰ電話装置２００Ａが、外部音声入出力装置１００Ａとの送受信と、無線基地局３００Ａとの送受信の２本の無線パスを維持する必要があった（図８のステップＳ５１からステップＳ６２）。
【００８５】
これに対し、本実施形態では、携帯型ＩＰ電話装置２００が外部音声入出力装置１００と通話相手に接続先を通知することにより、外部音声入出力装置１００と通話相手とが音声データを直接、送受信することができる。
【００８６】
これにより、本実施形態の場合には、外部音声入出力装置１００と通話相手とが、ステップＳ１１及びステップＳ１２において音声データを直接通信することができるので、携帯型ＩＰ電話装置２００の電力の消費を低減することができる。
【００８７】
そして、携帯型ＩＰ電話装置２００が、無線基地局３００を介して通話相手に切断指示を送信すると、通話が切断される（ステップＳ１３，Ｓ１４）。
【００８８】
また、携帯型ＩＰ電話装置２００は、外部音声入出力装置１００に切断指示を送信すると（ステップＳ１５）、外部音声入出力装置１００は、通話相手との通信を切断することができる。
（３）音声入出力装置を備える携帯型電話システムの効果
本実施形態によれば、携帯型電話システムは、携帯型ＩＰ電話装置２００が行っていた音声データの通信を外部音声入出力装置１００が行うことにより、携帯型ＩＰ電話装置２００の電力の消費を大幅に低減することができる。
（４）他の実施形態について
本発明に係る他の実施形態として、携帯型電話システムは、関連する携帯型ＩＰ電話装置よりも高品位な音声特性や構造的な優位性を有した外部音声入出力装置１００を用いることにより、同じ携帯型ＩＰ電話装置２００を使用しながら、ユーザの通信品質と利便性を向上させることができる。
【００８９】
また、本発明に係る他の実施形態として、携帯型電話システムは、実施形態１の外部音声入出力装置１００が電源回路を更に備えることにより、関連する携帯型ＩＰ電話装置に比べて通話時間を長くすることができる。
【００９０】
また、本発明に係る他の実施形態として、携帯型電話システムは、実施形態１における外部音声入出力装置１００のＩＰ通信部１３０が放送型ＩＰ通信（multicast）を更に備えることにより、全ての外部音声入出力装置１００に対し、一斉に放送を行う機能を追加することができる。
【００９１】
なお、放送型ＩＰ通信（multicast）とは、同一ＩＰネットワーク内で複数の相手を指定して同じデータを送信し、そのデータを受信し得るＩＰ通信のことをいう。
【００９２】
更に、本発明に係る他の実施形態として、携帯型電話システムは、上述の何れかの実施形態において、携帯型ＩＰ電話装置に内部音声入出力部２５０と外部音声入出力装置１００とを切り替える切替部を更に備えるようにしてもよい。
【００９３】
これにより、ユーザの場面、場所、状況等に応じて内部音声入出力部２５０と外部音声入出力部１００とを使い分けることができるので、利便性の向上を図ることができる。
【００９４】
更に、本発明に係る他の実施形態として、携帯型電話システムは、上述の何れかの実施形態において、携帯型ＩＰ電話装置２００に複数の外部音声入出力装置のＩＰ情報を保存するメモリ部を更に備えるようにしてもよい。
【００９５】
この場合、上述の切替部により任意の外部音声入出力装置に切り替える手段を更に備えることにより、ユーザの場面、場所、状況等に応じて外部音声入出力装置１００を使い分けることができるので、利便性の向上を図ることができる。
【図面の簡単な説明】
【００９６】
【図１】本発明に係る実施形態１において、外部音声入出力装置を備える携帯型電話システムの構成を示すブロック図である。
【図２】本発明に係る実施形態１において、外部音声入出力装置を備える携帯型電話システムの概略構成を示すブロック図である。
【図３】本発明に係る実施形態１において、外部音声入出力装置の構成を示すブロック図である。
【図４】本発明に係る実施形態１において、携帯型ＩＰ電話装置の構成を示すブロック図である。
【図５】本発明に係る実施形態１において、携帯型電話システムの動作を示すシーケンス図である。
【図６】関連する実施形態として、携帯型電話システムの構成を示した構成図である。
【図７】関連する実施形態として、携帯型電話システムの構成を等価的に示した概略構成図である。
【図８】関連する実施形態として、携帯型電話システムの動作を示すシーケンス図である。
【符号の説明】
【００９７】
１００、１００Ａ  外部音声入出力装置
１１０  音声出力部
１２０  音声入力部
１３０  ＩＰ通信部
１４０  ＰＨＹ通信部
２００、２００Ａ  携帯型ＩＰ電話装置
２１０  表示部
２２０  操作部
２３０  音声出力部
２４０  音声入力部
２５０  内部音声入出力部
２６０  呼制御部
２７０  制御部
２８０  ＩＰ通信部
２９０  ＰＨＹ通信部
３００、３００Ａ  無線基地局
４００、４００Ａ  ＩＰネットワーク網
５００、５００Ａ  無線ＬＡＮ網
【図１】
2009060508.tif 000003
【図２】
2009060508.tif 000004
【図３】
2009060508.tif 000005
【図４】
2009060508.tif 000006
【図５】
2009060508.tif 000007
【図６】
2009060508.tif 000008
【図７】
2009060508.tif 000009
【図８】
2009060508.tif 000010